(57)【特許請求の範囲】
【請求項１】
加熱量調節手段により加熱量が変更される加熱手段と、該加熱手段により加熱され、給水管から供給される水を昇温する熱交換器と、該熱交換器で加熱された湯が出湯される給湯管と、該給湯管から供給される湯の温度を設定する温度設定手段と、前記給水管から供給される水の温度を検出する給水温度検出手段と、前記給水管を流れる水の流量を検出する水量センサと、前記給水管からの給水量を制限する水量制限弁と、前記給湯管及び水を給水する給水配管と接続され、該給湯管からの給湯量と該給水配管からの給水量との混合度合を調節して、混合した湯水を供給する混合栓と、
前記給湯管から、前記温度設定手段による設定温度での給湯がなされるように、該設定温度と、前記給水温度検出手段による検出温度と、前記水量センサによる検出水量とに基づいて、前記加熱量調節手段による前記加熱手段の加熱量の調節と、前記水量制限弁による前記給水管からの給水量の調節とを行う給湯制御手段とを備えた給湯装置において、
前記給湯制御手段は、前記温度設定手段による設定温度が第１所定温度以下のとき、及び該第１所定温度より高い第２所定温度以上であるときは、前記給湯管からの給湯温度を該温度設定手段による設定温度に保てるように、前記水量制限弁を制御する温度優先制御を行い、
前記温度設定手段による設定温度が前記第１所定温度よりも高く且つ前記第２所定温度よりも低いときには、前記給湯管からの給湯温度が該設定温度未満となることを許容して該給湯管からの給湯量を増加させるように、前記水量制限弁を制御する流量優先制御を行うことを特徴とする給湯装置。
【請求項２】
前記給湯制御手段は、前記温度設定手段による設定温度と前記給水温度検出手段による検出温度との温度差と、前記加熱手段の最大加熱量とから、該設定温度での給湯が可能であるときの前記給水管からの給水量の上限を、最大水量として算出する最大水量算出手段と、
前記温度設定手段による設定温度と、前記給水温度検出手段による検出温度と、前記水量センサによる検出水量とから前記加熱手段の目標加熱量を算出し、該目標加熱量が得られるように、前記加熱量調節手段を制御する加熱量制御手段と、
前記温度優先制御を行うときは、前記水量センサによる検出水量が前記最大水量よりも小さい第１水量となるように前記水量制限弁の開度を調節し、また、前記流量優先制御を行うときには、前記水量センサによる検出水量が前記最大水量よりも大きい第２水量となるように前記水量制限弁の開度を調節する水量制御手段とを備えたことを特徴とする請求項１記載の給湯装置。
【発明の詳細な説明】
【０００１】
【発明の属する技術の分野】
本発明は、熱交換器への給水量を制限して水を昇温させ、混合栓から湯を供給する給湯装置に関する。
【０００２】
【従来の技術】
従来、給水管から供給される水をバーナにより加熱される熱交換器で昇温して給湯管に出湯する給湯装置において、使用者が希望する給湯温度を設定する温度設定スイッチと、前記給水管からの給水温度を検出する給水温度センサと、前記給水管を流れる水量を検出する水量センサと、前記給水管からの給水量を制限する水量制限弁とを備えたものが知られている。
【０００３】
かかる給湯装置にあっては、使用者が給湯管の先端に接続された給湯栓の開度を調節すると、給水管から熱交換器に供給される水量が変化する。そのため、前記水量センサで検出される熱交換器への給水量と、前記温度設定スイッチにより設定された設定温度と、前記給水温度センサにより検出された熱交換器への給水温度とから、前記設定温度まで水を昇温させるために必要となるバーナによる加熱量が算出され、該加熱量が得られるように、バーナへの燃料の供給量や燃焼用空気の供給量が調節される。
【０００４】
しかし、例えば、使用者が給湯栓を全開にして熱交換器への給水量が多くなったときには、バーナによる加熱量を最大にしても前記設定温度での給湯が得られない場合が生じる。この現象は、特に給湯温度が高温に設定されていたときに生じる。そのため、この場合には、前記水量制限弁の開度を小さくして熱交換器への給水量を減少させる制御が行われる。このように前記水量制御弁の開度を調節して前記熱交換器への給水量を制限することで、給湯栓の開度が大きくなったときでも、給湯栓からの給湯温度を前記設定温度に保つ制御（温度優先制御）を行うことができる。
【０００５】
ところで、近年、給湯栓として混合栓が使用される場合が多くなっている。この混合栓は、給湯管とともに給水配管とも接続され、使用者は、混合栓を操作して給湯管からの給湯量と給水配管からの給水量との混合度合を調節することができる。
【０００６】
このように、混合栓を使用する場合は、水を混合させることが前提となるため、使用者は給湯装置からの給湯温度を予め高めに設定し、希望する湯の温度となるように給湯量と給水量との混合比率を調節する、という使用態様となるのが一般的である。そのため、混合栓を使用する場合には、温度設定スイッチで設定された設定温度はあまり厳密な意味を持たない。そして、使用者は実際に混合栓から供給される湯に応じて、任意に混合栓からの給湯温度を調節することができる。
【０００７】
しかし、混合栓を使用した給湯装置において前記温度優先制御を行ったときには、例えば、混合栓からの給湯温度を低くするために、使用者は給湯管からの給湯量を減らす操作をして、給湯管からの給湯量を減少させるが、水量制限弁により熱交換器の給水量が制限されている場合には、前記温度優先制御により給水量の制限度合いが緩められ、即ち、前記水量制限弁の開度が大きくされて、給湯管からの給湯量が増加する場合がある。
【０００８】
この場合には、希望する温度の湯を得るように混合栓を調節した後に、使用者の意に反して、給湯管からの給湯量が増加し、その結果、給水量と給湯量との混合比率が変化するため、希望する温度の湯を得ることができないという不都合があった。
【０００９】
そこで、混合栓の使用が想定される温度（例えば５０℃以上）が温度設定スイッチで設定されたときには、給湯温度よりも給湯量を優先した制御（流量優先制御）を行い、給湯管からの給湯温度が設定温度より多少低くなっても、水量制限弁により給湯管からの給湯量を減少しないように制御することが考えられる。すなわち、このように制御すれば、使用者が混合栓を調節した後に、給水量と給湯量との混合比率が変化することがないため、希望する温度の湯を得ることができる。
【００１０】
しかし、このように、流量優先制御を行ったときには、使用者が浴槽内の湯の温度を上昇させる、いわゆる高温差し湯を行おうとして温度設定スイッチにより給湯温度を高温（例えば７０℃）に設定しても、実際の給湯温度が設定温度よりも低くなる場合がある。そして、この場合には浴槽内の湯を昇温させるのに必要な湯の供給量が多くなり、浴槽の水位の上昇が大きくなってしまうという不都合があった。
【００１１】
【発明が解決しようとする課題】
本発明は、上記不都合を解消し、混合栓の使用が想定される場合は給湯量を優先した給湯を行うことができ、且つ、浴槽の水位の上昇を抑制して高温差し湯を行うことができる給湯装置を提供することを目的とする。
【００１２】
【課題を解決するための手段】
上記目的を達成するため、本発明は、加熱量調節手段により加熱量が変更される加熱手段と、該加熱手段により加熱され、給水管から供給される水を昇温する熱交換器と、該熱交換器で加熱された湯が出湯される給湯管と、該給湯管から供給される湯の温度を設定する温度設定手段と、前記給水管から供給される水の温度を検出する給水温度検出手段と、前記給水管を流れる水の流量を検出する水量センサと、前記給水管からの給水量を制限する水量制限弁と、前記給湯管及び水を給水する給水配管と接続され、該給湯管からの給湯量と該給水配管からの給水量との混合度合を調節して、混合した湯水を供給する混合栓と、前記給湯管から、前記温度設定手段による設定温度での給湯がなされるように、該設定温度と、前記給水温度検出手段による検出温度と、前記水量センサによる検出水量とに基づいて、前記加熱量調節手段による前記加熱手段の加熱量の調節と、前記水量制限弁による前記給水管からの給水量の調節とを行う給湯制御手段とを備えた給湯装置の改良に関する。
【００１３】
そして、前記給湯制御手段は、前記温度設定手段による設定温度が第１所定温度以下のとき、及び該第１所定温度より高い第２所定温度以上であるときは、前記給湯管からの給湯温度を該温度設定手段による設定温度に保てるように、前記水量制限弁を制御する温度優先制御を行い、前記温度設定手段による設定温度が前記第１所定温度よりも高く且つ前記第２所定温度よりも低いときには、前記給湯管からの給湯温度が該設定温度未満となることを許容して該給湯管からの給湯量を増加させるように、前記水量制限弁を制御する流量優先制御を行うことを特徴とする。
【００１４】
前記温度設定手段による設定温度が前記第１所定温度（例えば５０℃）以下の比較的低温である場合は、シャワーを使用するときのように、水を混合させることなく、前記給湯管から供給される一定温度の湯をそのまま使うことを使用者が意図していると想定される。また、前記温度設定手段による設定温度が前記第２所定温度（例えば７０℃）以上の高温であった場合にも、使用者は前記給湯管から供給される高温の湯をそのまま使って高温差し湯をすることを意図していると想定される。
【００１５】
そのため、前記給湯制御手段は、前記設定温度手段による設定温度が、前記第１設定温度以下であるとき、及び前記第２設定温度以上であるときは、前記温度優先制御を行う。これにより、前記給湯管から使用者の意図した設定温度での給湯がなされ、使用者は浴槽内の湯量の増加を抑制して浴槽内の湯の温度を上昇させ高温差し湯を行うことができる。
【００１６】
一方、前記温度設定手段による設定温度が、前記第１所定温度（例えば５０℃）よりも高く且つ前記第２所定温度（例えば７０℃）よりも低いときには、使用者は、前記混合栓により前記給湯管から供給される湯と前記給水配管から供給される水とを混合させて使うことを意図していると想定される。
【００１７】
そこで、前記給湯制御手段は、前記温度設定手段による設定温度が前記第１所定温度よりも高く且つ前記第２所定温度よりも低いときには、前記流量優先制御を行う。前記流量優先制御において、前記給湯制御手段は、前記設定温度未満での給湯を許容することで、前記熱交換器で昇温できる水量を増加させることができる。そのため、前記給湯管からの給湯量を前記温度優先制御よりも増加させることができる。
【００１８】
これにより、使用者が、前記混合栓により前記給湯管からの給湯量を減少させたときに、前記給湯管からの給湯量が逆に増加することを防止することができる。
【００１９】
また、前記給湯制御手段は、前記温度設定手段による設定温度と前記給水温度検出手段による検出温度との温度差と、前記加熱手段の最大加熱量とから、該設定温度での給湯が可能であるときの前記給水管からの給水量の上限を、最大水量として算出する最大水量算出手段と、前記温度設定手段による設定温度と、前記給水温度センサよる検出温度と、前記水量センサによる検出水量とから前記加熱手段の目標加熱量を算出し、該目標加熱量が得られるように、前記加熱量調節手段を制御する加熱量制御手段と、前記温度優先制御を行うときは、前記水量センサによる検出水量が前記最大水量よりも小さい第１水量となるように前記水量制限弁の開度を調節し、また、前記流量優先制御を行うときには、前記水量センサによる検出水量が前記最大水量よりも大きい第２水量となるように前記水量制限弁の開度を調節する水量制御手段とを備えたことを特徴とする。
【００２０】
かかる本発明によれば、前記水量制御手段は、前記温度優先制御を行うときは前記水量センサによる検出水量が前記最大水量よりも小さい第１水量となるように、前記水量制限弁の開度を調節する。これにより、前記給湯管からの給湯温度を、前記温度設定スイッチによる設定温度まで確実に上昇させることができる。
【００２１】
一方、前記流量優先制御を行うときには、前記水量制御手段は、前記水量センサによる検出水量が前記最大水量よりも大きい第２水量となるように、前記水量制限弁の開度を調節する。この場合には、前記加熱手段の加熱量を最大にしても前記給湯管からの給湯温度が前記設定温度未満となるが、前記給湯管からの給湯量を増加させることができる。
【００２２】
【発明の実施の形態】
本発明の実施の形態の一例を図１〜図３を参照して説明する。図１は本発明の給湯装置の全体構成図、図２，図３は図１に示した給湯装置における水量制限弁の制御処理を示すフローチャートである。
【００２３】
図１を参照して、本発明の給湯装置は、給湯装置本体１と、給湯装置本体１の作動を制御するコントローラ２と、コントローラ２に対して給湯装置本体の作動内容を指示するリモコン３とにより構成される。
【００２４】
給湯装置本体１は、コントローラ２からの制御信号により作動するバーナ４（本発明の加熱手段に相当）によって加熱される熱交換器５、図示しない水道管と接続されて熱交換器５に給水する給水管６、コントローラ２からの制御信号により給水管６の開度を調節する水量サーボ弁７（本発明の水量制限弁に相当）、給水温度を検出してコントローラ２に出力する給水温度センサ８（本発明の給水温度検出手段に相当）、給水量を検出してコントローラ２に出力する水量センサ９、熱交換器５で加熱された湯が出湯される出湯管１０、給水管６に給水される水の一部を給湯管１０に混合させるバイパス管１１、出湯管１０とバイパス管１１との合流点の下流の給湯管１２中の湯の温度を検出してコントローラ２に出力する給湯温度センサ１３、及び給湯管１２と給水配管１４の双方に接続された混合栓１５とを備える。
【００２５】
混合栓１５は、ミキシングバルブ（図示しない）と流量コントロールバルブ（図示しない）とを備え、使用者による操作レバー１６の左右方向への操作に応じて、ミキシングバルブにより給湯管１２からの給湯と給水配管１４からの給水の混合度合が調節され、使用者による操作レバー１６の上下方向への操作に応じて、流量コントロールバルブにより混合された湯水の供給量が調節される。
【００２６】
また、水量サーボ弁７は、使用者が混合栓１５を操作して給湯管１２からの給湯量を増加させたときに、バーナ４による最大加熱量に対して給水管６からの給水量が多過ぎる場合に、該給水量を制限するためのものである。
【００２７】
バーナ４に燃料ガスを供給するガス供給管１７には、コントローラ２からの制御信号により開閉される元電磁弁１８，給湯電磁弁１９，及び切替電磁弁２０と、コントローラ２からの制御信号によりその開度が調節されるガス比例弁２１とが備えられる。２２はバーナ４に燃焼用空気を供給する燃焼ファンであり、コントローラ２からの制御信号によりその回転速度が可変される。２３はコントローラ２からの制御信号によりバーナ４に点火するイグナイタ、２４は給湯バーナ４の燃焼状態を検出してコントローラ２に出力するフレームロッドである。
【００２８】
コントローラ２は、給湯制御手段３０を含んで、ＣＰＵ、ＲＯＭ、ＲＡＭ等により構成され、リモコン３によって指示される条件に従って給湯装置本体１の制御を行う。
【００２９】
リモコン３は、給湯装置本体１を運転待機状態と運転停止状態とに切り替える運転スイッチ４０と、使用者が希望する給湯管１２からの給湯温度を設定する温度設定スイッチ４１（本発明の温度設定手段に相当）と、該温度設定スイッチ４１により設定された給湯温度や給湯温度センサ１３により検出された実際の給湯温度等を表示する表示部４２とを有する。
【００３０】
使用者がリモコン３の運転スイッチ４０を操作して、給湯装置本体１が運転待機状態となると、運転スイッチ４０に内蔵された運転ランプ（図示しない）が点灯する。この状態で、使用者が給湯管１２の先端に接続された混合栓１５を操作して給湯管１２の先端を開けると、給水管６への給水が開始され、水量センサ９により流水が検出される。コントローラ２は、水量センサ９からの出力信号により給水管６への給水の開始を認識したときは、燃焼ファン２２を作動させ、元ガス電磁弁１８，給湯電磁弁１９, 切替電磁弁２０，及び給湯ガス比例弁２１を開弁し、イグナイタ２３に火花放電を生じさせて給湯バーナ４の点火処理を行う。
【００３１】
コントローラ２に備えられた給湯制御手段３０は、フレームロッド２４の出力により、給湯バーナ４の点火がなされたことを認識したときは、温度設定スイッチ４１で設定された設定温度に応じて、ガス比例弁２１の開度、燃焼ファン２２の回転速度、及び切替電磁弁２０の開閉を制御してバーナ４による加熱量を調節し、また、水量サーボ弁７の開度を調節して熱交換器５への給水量を制限する。
【００３２】
以下、給湯制御手段３０による給湯管１２からの給湯温度と給湯量の制御について説明する。
【００３３】
給湯制御手段３０に備えられた最大水量算出手段３１は、バーナ４の最大加熱量ＱMAX （k カロリー／min ）と、温度設定スイッチ４１による設定温度ＴSET （℃）と、給水温度センサ８による検出温度ＴIN（℃）とから、該設定温度ＴSET での給湯が可能な給水量の上限である最大水量Ｌff（リットル／min ）を以下の式（１）で算出する。
【００３４】
Ｌff＝（ＱMAX ×ｇn ）／（ＴSET −ＴIN）（リットル／min ）・・・（１）
ｇn ：ＱMAX に対する熱効率。
【００３５】
また、給湯制御手段３０に備えられた加熱量制御手段３２は、温度設定スイッチ４１による設定温度ＴSET ( ℃）と、給水温度センサ８による検出温度ＴIN（℃）と、水量センサ９により検出された実給水量Ｗ（リットル／min ）とに基づいて目標加熱量ＱF を以下の式（１）により算出する。
【００３６】
ＱF ＝（ＴSET −ＴIN）×Ｗ×（ｅ／ｇn ）（K カロリー／min ）・・・（１）
ｅ：ガス温度補正係数。温度によるガス量の変化を補正する。
【００３７】
ＱF はフィードフォワード成分であり、設定温度ＴSET での給湯を得るために必要な熱量である。ＱF は常時（制御サイクル毎）更新される。
【００３８】
加熱量制御手段３２は、基本的にはＱF が得られるように燃焼ファン２１の回転速度とガス比例弁２０の開度を調節するが、必要に応じて給湯温度センサ１３により検出された実際の給湯温度ＴOUT を用いて、比例成分Ｐ、積分成分Ｉ、先回り補正成分Ｋ等のフィードバック成分により目標加熱量ＱF を補正する。
【００３９】
また、給湯制御手段３０に備えられた水量制御手段３３は、温度設定スイッチ４１による設定温度ＴSET と、最大水量算出手段３１により算出された最大水量Ｌffに応じて水量サーボ弁７の開度を調節する。以下、図２，図３に示したフローチャートを参照して水量制御手段３３による水量サーボ弁７の開度調整処理について説明する。
【００４０】
図２を参照して、ＳＴＥＰ１で最大水量算出手段３１により、バーナ４の最大加熱量ＱMAX と、温度設定スイッチ４１による設定温度ＴSET と、給水温度センサ８による検出温度ＴINとに基づいて最大水量Ｌffが算出、更新される。
【００４１】
そして、水量制御手段３３はＳＴＥＰ２で、水量センサ９により給水管６への実給水量Ｗを検出する。また、水量制御手段３３は、温度設定スイッチ４１による設定温度ＴSET が、第１所定温度Ｔ1 （例えば５０℃）以下又は第２所定温度Ｔ2 （例えば７０℃）以上の範囲（以下、第１温度設定範囲という）であるときは、給湯温度センサ１３で検出される給湯管１２からの給湯温度ＴOUT が、温度設定スイッチ４１による設定温度ＴSET に保たれるように制御する温度優先制御を行う。
【００４２】
一方、設定温度ＴSET が第１所定温度Ｔ1 （５０℃）より高く且つ第２所定温度Ｔ2 （７０℃）より低い範囲（以下、第２温度設定範囲という）にあるときは、給湯管１２からの給湯温度ＴOUT が設定温度ＴSET 未満となることを許容して給湯管１２からの給湯量を増加させる流量優先制御を行う。
【００４３】
ここで、第１所定温度Ｔ1 （５０℃）は、比較的低温の一定温度で給水配管１４から水を混入させずに給湯管１２からの湯をそのまま使用することを想定して定められた温度である。また、第２所定温度Ｔ2 （７０℃）は、使用者が浴槽中の湯の温度を上昇させるために高温差し湯を行うときのように、高温の一定温度で、給水配管１４から水を混入させずに給湯管１２からの湯を使用することを想定して定めた温度である。
【００４４】
また、温度設定スイッチに設定温度ＴSET が、前記第２温度設定範囲にあるときは、使用者が給水配管１４からの給水を混合させて給湯管１２からの湯を使用すると想定している。
【００４５】
水量制御手段３３は、ＳＴＥＰ３で、温度設定スイッチ４１による設定温度ＴSET が前記第１温度設定範囲にあるか否かを判定する。そして、設定温度ＴSET が前記第１温度設定範囲にあるときはＳＴＥＰ４に進んで温度優先制御を実行し、設定温度ＴSET が前記第１温度設定範囲にないとき、即ち前記第２温度設定範囲にあるときはＳＴＥＰ２０に分岐して流量優先制御を実行する。
【００４６】
温度優先制御においては、水量制御手段３３は、ＳＴＥＰ２で水量センサ９により検出された実給水量Ｗが、最大水量Ｌffとの関係で以下の（２）の条件（（２）で定まる給水量の範囲が本発明の第１水量に相当する。）を満たすように水量サーボ弁７の開度を調節する。
【００４７】
Ｌff−０．５  ≦  Ｗ  ＜  Ｌff・・・・・（２）
即ち、ＳＴＥＰ４で実給水量Ｗが（２）の条件を満たしているときはＳＴＥＰ５で水量サーボ弁７の作動を停止し、（２）の条件を満たしていなければＳＴＥＰ１０に分岐する。そして、ＳＴＥＰ１０で実給水量Ｗが最大水量Ｌff−０．５未満であるときは、ＳＴＥＰ１１で水量サーボ弁７を開方向に作動させて給水管６からの給水量を増加させ、実給水量Ｗが最大水量Ｌff以上であるときにはＳＴＥＰ１３で水量サーボ弁７を閉方向に作動させて給水管６からの給水量を減少させる。これにより、実給水量Ｗが前記（２）の条件を満たすように水量サーボ弁７の開度が調節される。
【００４８】
このようにして、水量センサ９により検出される実給水量Ｗが、最大水量Ｌff未満で且つ最大水量Ｌffの付近となるように、水量サーボ弁７の開度を保つことで、給水管６からの給水量が最大水量Ｌff以上となることを防止し、給湯管６から設定温度ＴSET での給湯を確実に行うことができる。
【００４９】
ここで、混合栓１５からの給湯量が少なく、最大水量Ｌff−Ｏ．５≦実給水量Ｗであるときは、水量制御手段３３によりＳＴＥＰ１１の処理により水量サーボ弁７の開度が最大開度まで徐々に大きくなる。そして、使用者が混合栓１５を操作して、給湯管１２からの給湯量を増加させると、ＳＴＥＰ１０で水量センサ９により検出される実水量Ｗが最大水量Ｌff以上となったときに、水量制御手段３３はＳＴＥＰ１３で水量サーボ弁７を閉方向に作動させて、給水管６からの給水量を制限する。
【００５０】
一方、流量優先制御においては、水量制御手段３３は、ＳＴＥＰ２で水量センサ９により検出される給水量Ｗが、最大水量Ｌffとの関係で以下の（３）の条件（（３）で定まる給水量の範囲が本発明の第２水量に相当する。）を満たすように水量サーボ弁７の開度を調節する。
【００５１】
Ｌff  ≦  Ｗ  ＜Ｌff＋０．５・・・・・（３）
即ち、ＳＴＥＰ２０で給水量Ｗが（３）の条件を満たしているときはＳＴＥＰ２１で水量サーボ弁７の作動を停止し、（３）の条件を満たしていなければＳＴＥＰ３０に分岐する。そして、ＳＴＥＰ３０で実給水量Ｗが最大水量Ｌff未満であるときは、ＳＴＥＰ３１で水量サーボ弁７を開方向に作動させて給水管６からの給水量を増加させ、実給水量Ｗが最大水量Ｌff＋０．５よりも大きいときには、ＳＴＥＰ３２で水量サーボ弁７を閉方向に作動させて給水管６からの給水量を減少させる。これにより、実給水量Ｗが前記（３）の条件を満たすように水量サーボ弁７の開度が調節される。
【００５２】
ここで、混合栓１５からの給湯量が少なく、給水量Ｗ＜最大水量Ｌffのときは、ＳＴＥＰ３１の処理により水量サーボ弁７の開度が最大開度まで徐々に大きくなる。そして使用者が混合栓１５を操作して、給湯管１２からの給湯量を増加させたときに、ＳＴＥＰ３０で実水量Ｗが最大水量Ｌff＋０．５以上となるまでは、ＳＴＥＰ３２で水量サーボ弁７を閉方向に作動させることがないため、給湯管１２からの給湯量が制限されることがない。
【００５３】
したがって、流量優先制御を行うことで、温度優先制御を行ったときに比べて、水量サーボ弁７が閉方向への作動を開始する上限を０．５リットル／min だけ多くすることができる。そのため、使用者が混合栓７の操作レバー１６を操作して給湯管１２からの給湯量を減少させようとしたときに、水量制御手段３３により水量サーボ弁７が開方向に作動され、使用者の意に反して給湯管１２からの給水量が増加することを防止することができる。
【００５４】
これにより、使用者は混合栓１５による給湯管１２からの給湯量と、給水配管１４からの給水量とを混合度合の調節を容易に行うことができる。
【００５５】
尚、本実施の形態では、流量優先制御における水量サーボ弁７の目標開度を、温度優先制御における水量サーボ弁７の目標開度よりも大きくすることで、流量優先制御における給湯管１２からの給湯量の上限を増加させたが、これを、例えば流量優先制御においては、給湯管１２からの給湯温度が温度設定スイッチ４２による設定温度ＴSET から所定温度（例えば５℃）まで下がることを許容した制御を行うことによっても、熱交換５で昇温可能な水量を増加させることができ、これにより給湯量の上限を増加させることができる。
【００５６】
また、本実施の形態では、給水温度検出手段として給水温度センサ８を示したが、水量センサ９による検出水量とガスバーナ４の燃焼量とから給水温度を算出するようにしてもよい。
【００５７】
また、本実施の形態では、ガスを燃料とするバーナ４を加熱手段とした給湯装置を示したが、石油バーナ等の他の種類の加熱手段を用いた給湯装置に対しても本発明の適用が可能である。
【図面の簡単な説明】
【図１】本発明の給湯装置の全体構成図。
【図２】図１に示した給湯装置に備えられた水量制御手段の処理を示すフローチャート。
【図３】図１に示した給湯装置に備えられた水量制御手段の処理を示すフローチャート。
【符号の説明】
１…給湯装置本体、２…コントローラ、３…リモコン、４…ガスバーナ、５…熱交換器、６…給水管、７…水量サーボ弁、８…給水温度センサ、９…水量センサ、１０…出湯管、１１…バイパス管、１２…給湯管、１３…給湯温度センサ、１４…給水配管、１５…混合栓、１６…操作レバー、１７…ガス供給管、１８…元電磁弁、１９…給湯電磁弁、２０…切替電磁弁、２１…ガス比例弁、２２…燃焼ファン、２３…イグナイタ、２４…フレームロッド、３０…給湯制御手段、３１…最大水量算出手段、３２…加熱量制御手段、３３…水量制御手段、４０…運転スイッチ、４１…温度設定スイッチ、４２…表示部
【図１】
0003703620.tif 000002
【図２】
0003703620.tif 000003
【図３】
0003703620.tif 000004